(57)【要約】【課題】  デジタルカメラで撮影したほぼ同じような構図で撮影された大量の画像からOK画像を短時間に探し出す。【解決手段】  撮影画像と同時に、実況音声情報や輝度変化情報を採取し、その音声情報や輝度情報に基づいて撮影した画像データのＯＫ、ＮＧを判断して、画像データの収納先フォルダの変更を自動的に行えるように構成することにより、OK画像の選択が短時間におこなえるようにする。【選択図】  図５
2007221236.tif 000002
【特許請求の範囲】
【請求項１】
撮影手段により得られた複数の撮影画像をフォルダ単位で記録媒体に記録するデジタルスチルカメラであって、
上記撮影手段の撮影画像と同時に得られた付帯情報に基づき上記記録媒体上に作成した複数のフォルダに対して、上記撮影手段で得られた撮影画像と付帯情報を収納する収納選別手段を備えることを特徴とするデジタルスチルカメラ。
【請求項２】
上記付帯情報は、時々刻々変化する情報であることを特徴とする請求項１記載のデジタルスチルカメラ。
【請求項３】
上記フォルダはＯＫ画像とＮＧ画像のフォルダであることを特徴とする請求項１記載のデジタルスチルカメラ。
【請求項４】
上記付帯情報は、撮影時同時記録された音声情報、撮影時の輝度情報の少なくとも何れかを含むことを特徴とする請求項２記載のデジタルスチルカメラ。
【請求項５】
上記音声情報は、ボールのヒッティング音、カメラマンのＯＫサインであることを特徴とする請求項４記載のデジタルスチルカメラ。
【請求項６】
上記輝度情報は、撮影時輝度が大きく変化することを特徴とする請求項４記載のデジタルスチルカメラ。
【発明の詳細な説明】
【技術分野】
【０００１】
本発明は、例えば、撮影画像データを画像ファイルとして記録媒体に記録するデジタルカメラ等に用いられる、画像管理方法、それを実施するためのプログラムに関するものである。
【背景技術】
【０００２】
従来より例えば、デジタルカメラでは、当該デジタルカメラ内に装備された記録媒体に対して、撮影画像データを画像ファイルとして記録（収納）するように構成されている。
【０００３】
このとき、記録媒体への記録対象となる撮影画像データに対しては、撮影時のデジタルカメラの状態（カメラ状態）に関する情報が付加されて記録媒体に記録される。したがって、記録媒体に記録された個々の撮影画像データ（画像ファイル）を開くことで、個々の撮影画像データの取得時（撮影時）のカメラ状態を知ることができる。また、記録媒体上では、任意数の画像ファイルの集合がフォルダというまとまりで管理される。
【０００４】
従来例としては、例えば特許文献１をあげることが出来る。
【特許文献１】特開２００３−１６２７０９号公報
【発明の開示】
【発明が解決しようとする課題】
【０００５】
しかしながら、上述したような従来のデジタルカメラでは、以下のような問題点があった。
【０００６】
まず、記録媒体に記録された個々の撮影画像について、撮影時のカメラ状態を知るためには、ユーザは、個々の撮影画像のファイルを開く必要がある。この作業は、かなりの時間と手間を要するものである。
【０００７】
また、記録媒体上では、任意数の画像ファイルの集合がフォルダというグループで管理されるが、フォルダに格納できる画像ファイル数には上限がある。このため、上限数に達したフォルダには、以降の画像ファイルの格納ができなくなり、したがって、別のフォルダを新たな格納先とされることになる。すなわち、記録媒体上で画像ファイルのグループ化を行う方法としては、あるフォルダが満杯状態となるまで、画像ファイルの格納先として当該フォルダのみが使用され、当該フォルダの画像ファイル数が上限に達すると、これ以降の画像ファイルの格納先が次の新たなフォルダとなる、という方法がとられている。このような従来の方法では、記録媒体上では画像ファイルがフォルダというグループとして管理されているものの、そのグループ化にユーザの意志が反映するものではないため、単一の空間に全ての画像ファイルが存在するのと理論的に相違ない。
【０００８】
例えば、図１で示すような構図の野球の撮影で、ホームランのヒッティングの瞬間を撮影する際には、カメラのレリーズタイムラグを考慮してピッチャーのスウィングのたびに撮影を行なう。後の画像ファイルの整理段階において、カメラマンは、大量の画像ファイルの中から個々の画像ファイルを検索して、ヒッティングの瞬間のＯＫ画像を見つけ出すのに手間がかかり、画像ファイルをフォルダにより自在に分類することもできない。これは、ユーザの利便性を欠く問題である。
【０００９】
そこで、本発明は、上記の欠点を除去するために成されたもので、個々の画像を効率的に且つ容易に管理することができる、画像管理方法、それを実施するためのプログラムを提供することを目的とする。
【００１０】
例えば、画像データ（画像ファイル）の収納先フォルダの変更を自動化することで、画像データのグループ化を積極的に行えるようにし、ユーザの意識が反映しやすいように構成する。具体的には、撮影時に画像データと共に音声情報や輝度情報を同時に採取し、その音声情報や輝度情報に基づいて撮影した画像データのＯＫ、ＮＧを判断して、当該検知結果に基づいて、画像データの収納先フォルダの変更を自動的に行えるように構成することで、より手軽に画像データのフォルダによるグループ化をおこなえるようにする。
【課題を解決するための手段】
【００１１】
斯かる目的下において、第１の発明は、撮影手段により得られた複数の撮影画像をフォルダ単位で記録媒体に記録するデジタルスチルカメラであって、上記撮影手段の撮影画像と同時に得られた付帯情報に基づき上記記録媒体上に作成した複数のフォルダに対して、上記撮影手段で得られた撮影画像と付帯情報を収納する収納選別手段を備えることを特徴とする。
【００１２】
第２の発明は、上記第１の発明において、上記付帯情報は、時々刻々変化する情報であることを特徴とする。
【００１３】
第３の発明は、上記第１の発明において、上記フォルダはＯＫ画像とＮＧ画像のフォルダであることを特徴とする。
【００１４】
第４の発明は、上記第２の発明において、上記付帯情報は、撮影時同時記録された音声情報、撮影時の輝度情報の少なくとも何れかを含むことを特徴とする。
【００１５】
第５の発明は、上記第４の発明において、上記音声情報は、野球などのボールのヒッティング音、カメラマンのＯＫサインなどであることを特徴とする。
【００１６】
第６の発明は、上記第４の発明において、上記輝度情報は、撮影時輝度が大きく変化することを特徴とする。
【発明の効果】
【００１７】
以上説明したように本発明では、複数の撮影画像の集合をフォルダというまとまりで記録媒体上に記録する際、撮影画像を取得する際実況情報を同時に採取し、その状態によって、記録媒体上に事前に作成したOK、NGフォルダに対して、撮影手段で得られた撮影画像を格納するように構成した。これにより、撮影時に画像データと共に音声情報や輝度情報を同時に採取し、その音声情報や輝度情報に基づいて撮影した画像データのＯＫ、ＮＧを判断して、当該検知結果に基づいて、画像データの収納先フォルダの変更を自動的に行えるように構成することで、より手軽に画像データのフォルダによるグループ化をおこなえるようにすることができ、ユーザの利便性を高めることができる。
【発明を実施するための最良の形態】
【００１８】
以下、本発明の実施の形態について図面を用いて説明する。
【００１９】
図２は、本実施形態のデジタルカメラ10の外観図である。レリーズボタン12がオン状態に操作された場合に電気信号に変換される。変換された撮像信号は画像処理および符号化処理をされ、処理された符号化データ等は、不図示の右側面に設けられたカードスロット14に着脱自在に装着されるメモリカード16にＥｘｉｆファイルとして記録される。メモリカード16は、たとえばフラッシュＲＯＭやＥＥＰＲＯＭ素子等の不揮発性半導体メモリを搭載した記憶媒体であり、またバッテリバックアップされたＳＲＡＭにて記憶情報の保持を行なってもよい。また、メモリカードに代えてフレキシブルディスクや光ディスクなどのような、磁気や光により情報が書き込まれて保持される情報記憶媒体でもよい。さらに同時に撮影情報とマイク17によって撮影時の実況音声を記録している。
【００２０】
本実施の形態におけるデジタルカメラ１０は、撮影画像データを画像ファイルとしてメモリカード１6へ記録（格納）する際、任意数の画像ファイルの集合をフォルダというグループで管理するように構成されているが、特に、デジタルカメラ１０本体のマイク１７等で撮影時に得られる付帯情報に連動してフォルダの変更を可能とし、撮影画像データ（画像ファイル）の格納先フォルダを随時移行できるよう構成されている。これにより、一層簡便に、ＯＫ画像とＮＧ画像を選別可能としている。以下、本実施の形態におけるデジタルカメラ１０の構成及び動作について具体的に説明する。
【００２１】
＜デジタルカメラ１０の構成＞
デジタルカメラ１０は、例えば、一眼レフタイプのカメラであり、図３に示すように、被写体光を後述する絞り１１２及びレンズマウント１１３を介して撮像素子１１４へと導く撮影レンズ（フォーカシングレンズ等を含む）１１１と、絞り１１２と、レンズマウント１１３と、ＣＣＤ等により入射光信号を電気信号に変換して出力する撮像素子１１４と、撮像素子１１４の出力信号（アナログ信号）をデジタル化して画像データとして出力するＡ／Ｄ変換器１１５と、Ａ／Ｄ変換器１１５からの画像データに対してガンマ補正等の画像処理を施す画像処理部１１６と、画像処理部１１６での処理後の画像データを圧縮する圧縮処理部１１７と、圧縮処理部１１７による圧縮後の画像データを一時的に保存するメモリ１１８と、メモリ１１８内の画像データが記録される記録媒体１１９（図２のメモリカード１6）と、撮像素子１１４及びＡ／Ｄ変換器１１５を撮影動作に基づいて駆動する駆動部１２０と、レンズマウント１１３へのレンズの着脱を検出するレンズ着脱検知部１２１と、レンズマウント１１３へ装着されたレンズの種別や特性等を読み取るレンズ特性検出部１２２と、絞り１１２を制御することで撮像素子１１４に対する入射光量を調節する露光制御部１２３と、撮像レンズ１１１に含まれるフォーカシングレンズを駆動して焦点距離を調節するフォーカス制御部１２４と、撮像指示するレリーズスイッチ１２８と、デジタルカメラ１０の電源を入／切制御する主電源スイッチ１２９と、デジタルカメラ１０全体の動作制御を司るシステム制御部１３０と、付帯情報を採取する手段１３１と、付帯情報検出する手段１３２を備えている。
【００２２】
上述のようなデジタルカメラ１０において、システム制御部１３０は、例えば、レリーズスイッチ１２８や主電源スイッチ１２９等のスイッチ類の操作に応じた制御、焦点距離の調節や露光量の調節、及びメモリ１１８や記録媒体１１９へのデータの書込制御及び読出制御等を行う。特に、システム制御部１３０は、例えば、後述するコンピュータ機能を有し、そのＣＰＵが所定の処理プログラムを実行することで、本実施の形態における特徴とする機能を実施する。
【００２３】
＜記録媒体１１９上に構成されるファイル構造、及びこれを実施するためのデジタルカメラ１０の動作＞
システム制御部１３０は、以下に説明するようなファイル構造を記録媒体１１９上に形成する。ここではファイル構造の一例として、図４に示されるようなファイル構造を挙げる。
【００２４】
尚、本実施の形態で一例として挙げるフォルダ名称及び画像ファイル名等については、説明の簡単のために使用したものあり、これにより本発明が固定されるものではない。特に、フォルダ名称に関しては、注目する状態を特徴的に表す名称であるならば、任意の名称を適用可能であり、この場合でも本発明の主旨に外れない。以降、本実施の形態の説明で使用している全ての名称は限定されるものではない。
【００２５】
図４は、デジタルカメラ１０で撮影時に同時記録した付帯情報によって、記録媒体１１９上に作成されたＯＫ、ＮＧフォルダのフォルダ構造の一例を示したものである。
【００２６】
上記図４において、“２０１（１）”“２０１（２）”は、ある時点で既に作成したOKフォルダとNGフォルダである。“２０２（１）”は、フォルダ２０１（１）に格納されたｎ個の画像データ群であり、“２０２（２）”は、フォルダ２０１（２）に格納されたｍ個の画像データ群である。
【００２７】
また、フォルダ２０１（１）に対してはフォルダ名称として「OK」が設定されており、フォルダ２０１（２）に対してはフォルダ名称として「NG」が設定されている。
【００２８】
図４のフォルダ構造では、撮影と同時に１３１で採取された付帯情報は検出手段１３２でOK画像かNG画像かを検出し、撮影画像を２０１（１）、２０１（２）のどちらに入れるかを判別し、収納する。
【００２９】
図５は、上記図４で示したファイル構造を実施するために、システム制御部１３０が実行する処理をフローチャートにより示したものである。
【００３０】
ステップＳ９０１：システム制御部１３０は、主電源スイッチ１２９のＯＮにより動作を開始し、次のステップＳ９０２からの処理に進む。
【００３１】
ステップＳ９０２：ステップＳ９０１に続いてシャッタースイッチ１２８がＯＮされた場合、システム制御部１３０は、各種の撮影準備動作を行なう。
【００３２】
ステップＳ９０３：システム制御部１３０は、ステップＳ９０２に続いて撮像動作を行なう。
【００３３】
ステップＳ９０４：システム制御部１３０は、ステップＳ９０３で撮影した画像を所定の現像処理を行なって画像を生成し、ステップＳ９０７へ進む。
【００３４】
ステップＳ９０５：ステップＳ９０３の撮像動作と同時に図２のマイク１７によって同時に音声情報を採取し、図３の１３１によって画像データに記録し、ステップＳ９０６へ進む。
【００３５】
ステップＳ９０６：ステップＳ９０５の音声データを図3の１３２でインパクト音を検出し、インパクト音の含まれている画像をＯＫ画像としてフラッグをたててステップＳ９０７へ進む。
【００３６】
ステップＳ９０７：Ｓ９０５、Ｓ９０６のデータを１つの画像データとして生成する。
【００３７】
ステップＳ９０８：ステップＳ９０６でＯＫのフラッグを立てた画像を判別する。その結果、ＯＫ画像データはＳ９０９でＯＫフォルダへ、ＮＧ画像データはＳ９１０でＮＧフォルダへ収納する。
【００３８】
上記フローチャートは図１で示したような撮影状況を想定して説明したが、雷の稲妻をインターバルで長時間露光をしたような場合は画像データと同時に輝度情報を記録し、輝度変化の大小でOK、NG画像の判定をすることによって実現できる。
【図面の簡単な説明】
【００３９】
【図１】撮影状況の説明図
【図２】カメラ１０の外観図
【図３】カメラ１０の機能構成図
【図４】カメラ１０の記録媒体上のフォルダ構造
【図５】画像データを上記フォルダに振り分ける状態を説明するフローチャート
【図１】
2007221236.tif 000003
【図２】
2007221236.tif 000004
【図３】
2007221236.tif 000005
【図４】
2007221236.tif 000006
【図５】
2007221236.tif 000007